(57)【要約】【課題】色合成光学装置の変位量を小さくすることができるプロジェクターを提供する。【解決手段】プロジェクターは、光源装置と、複数の色光を色光毎にそれぞれ変調する複数の反射型光変調装置と、変調された複数の色光がそれぞれ入射す複数の光入射面４５１、及び複数の光入射面４５１と交差し、かつ、互いに対向する一対の交差面４５３を有し、一対の交差面４５３のそれぞれが水平方向と交差して配置される色合成装置（クロスダイクロイックプリズム４５）と、クロスダイクロイックプリズム４５の一対の交差面４５３のそれぞれに当接し、クロスダイクロイックプリズム４５を挟持する第１支持部材（支持部材７Ａ）及び第２支持部材（支持部材７Ｂ）と、を備える。【選択図】図２
2015011091.tif 000002
【特許請求の範囲】
【請求項１】
光源装置と、
前記光源装置から出射された複数の色光を色光毎にそれぞれ変調する複数の反射型光変調装置と、
変調された前記複数の色光がそれぞれ入射する複数の光入射面、及び前記複数の光入射面と交差し、かつ、互いに対向する一対の交差面を有し、前記一対の交差面のそれぞれが水平方向と交差して配置され、入射した前記複数の色光を合成して射出する色合成光学装置と、
前記色合成光学装置の前記一対の交差面のそれぞれに当接し、前記色合成光学装置を挟持する第１支持部材及び第２支持部材と、を備えることを特徴とするプロジェクター。
【請求項２】
請求項１に記載のプロジェクターにおいて、
前記第１支持部材及び前記第２支持部材は、前記交差面に接合される接合面を有し、
前記第１支持部材及び前記第２支持部材のうち少なくともいずれかの前記接合面は、中央が膨出した形状を有することを特徴とするプロジェクター。
【請求項３】
請求項１又は請求項２に記載のプロジェクターにおいて、
外装を構成する外装筐体と、
前記色合成光学装置により合成された光を投射する投射光学装置と、
前記外装筐体に固定され、前記投射光学装置を支持する基体と、を備え、
前記第１支持部材は、前記基体に対して１カ所で固定され、前記第２支持部材は、前記基体に対して２カ所で固定されることを特徴とするプロジェクター。
【発明の詳細な説明】
【技術分野】
【０００１】
本発明は、プロジェクターに関する。
【背景技術】
【０００２】
従来、Ｒ（赤），Ｇ（緑），Ｂ（青）の３つの色光をそれぞれ変調するＬＣＯＳ（Liquid Crystal On Silicon）等の３つの反射型光変調装置と、各反射型光変調装置にて変調された各色光を合成する色合成光学装置と、合成された光束を投射する投射レンズと、を備えたプロジェクターが知られている（例えば、特許文献１参照）。
特許文献１に記載のプロジェクターでは、色合成光学装置としてのクロスダイクロイックプリズム（以下、プリズムとも称する）の各光入射面に各反射型光変調装置が対向配置されている。そして、このプリズムは、３つの光入射面のうちの２つが水平面に沿い、残りの１つの光入射面が鉛直面に沿うように配置される。そして、３つの光入射面にそれぞれ交差して鉛直面に沿う交差端面のうちの一方が、投射光学装置（投射レンズ）を支持する基体に固定される支持部材に接続される。この支持部材により、プリズムが支持され、基体と一体化される。
【先行技術文献】
【特許文献】
【０００３】
【特許文献１】特開２０１２−１７３３０６号公報
【発明の概要】
【発明が解決しようとする課題】
【０００４】
ところで、画像表示時には、上記プリズムに光が入射されるので、当該プリズムの温度が上昇する。このような場合、上記特許文献１に記載のプロジェクターでは、プリズムに接続された支持部材の温度も上昇し、支持部材が熱膨張によって変形する可能性がある。この際、プリズムが、１つの交差端面にて支持部材により支持されているため、支持部材の変形に応じて、プリズムの位置が変化しやすい。そして、プリズムの変位量が許容範囲を超えてしまうと、プロジェクターによる画像の投射位置が設計上の位置から変化してしまうという問題がある。
【０００５】
本発明は、色合成光学装置の変位量を小さくすることができるプロジェクターを提供することを目的の一つとする。
【課題を解決するための手段】
【０００６】
本発明の一態様に係るプロジェクターは、光源装置と、前記光源装置から出射された複数の色光を色光毎にそれぞれ変調する複数の反射型光変調装置と、変調された前記複数の色光がそれぞれ入射する複数の光入射面、及び前記複数の光入射面と交差し、かつ、互いに対向する一対の交差面を有し、前記一対の交差面のそれぞれが水平方向と交差して配置され、入射した前記複数の色光を合成して射出する色合成光学装置と、前記色合成光学装置の前記一対の交差面のそれぞれに当接し、前記色合成光学装置を挟持する第１支持部材及び第２支持部材と、を備えることを特徴とする。
【０００７】
なお、色合成光学装置としては、例えば、４つの直角プリズムを貼り合せた平面視略正方形状をなし、直角プリズム同士を貼り合せた界面に２つの誘電体多層膜が形成されたクロスダイクロイックプリズムを採用できる。
上記一態様によれば、一対の支持部材のうち、一方の支持部材（例えば第１支持部材）が、色合成光学装置の一対の交差面のうちの一方の交差面に当接し、他方の支持部材（例えば第２支持部材）が他方の交差面に当接する。これによれば、これら各交差面は、水平方向と交差する面であるので、各支持部材により、色合成光学装置を水平方向の両側から挟持して支持できるので、各支持部材が熱膨張により変形する場合でも、これら各支持部材の変形を相殺できる。従って、色合成光学装置の移動を抑制でき、当該色合成光学装置が変位する場合であっても、変位量を小さくすることができる。
【０００８】
上記一態様では、前記第１支持部材及び前記第２支持部材は、前記交差面に接合される接合面を有し、前記第１支持部材及び前記第２支持部材のうち少なくともいずれかの前記接合面は、中央が膨出した形状を有することが好ましい。
上記一態様によれば、色合成光学装置に接合される各支持部材のうち少なくともいずれかの接合面は、中央部で膨出した形状を有するので、色合成光学装置の交差面を接合面に接合する際に、接合面に対する色合成光学装置の角度を調整できる。従って、各支持部材に対する色合成光学装置の位置を容易に調整でき、部品ばらつきが生じた場合でも、色合成光学装置を適切な位置に配置しやすくすることができる。
【０００９】
上記一態様では、外装を構成する外装筐体と、前記色合成光学装置により合成された光を投射する投射光学装置と、前記外装筐体に固定され、前記投射光学装置を支持する基体と、を備え、前記第１支持部材は、前記基体に対して１カ所で固定され、前記第２支持部材は、前記基体に対して２カ所で固定されることが好ましい。
【００１０】
ここで、基体に対して各支持部材がそれぞれ１ヶ所で固定されていると、各支持部材が変形する際に、各交差面に交差する水平方向に沿う回動軸を中心として各支持部材が回動しやすくなり、色合成光学装置の位置が変化しやすくなる。
一方、基体に対して各支持部材がそれぞれ２ヶ所で固定されていると、各支持部材が変形する際に、当該各支持部材において色合成光学装置との接続部位の変位量が大きくなってしまい、ひいては、当該色合成光学装置の変位量が大きくなる。
これに対し、上記一態様によれば、第１支持部材が１ヶ所で基体に固定され、第２支持部材が２ヶ所で基体に固定される。これによれば、上記回動軸を中心とする各支持部材の回動を抑制でき、色合成光学装置の変位を抑制できる。この他、２ヶ所で固定される支持部材の上記接続部位に比べ、１ヶ所で固定される支持部材の上記接続部位の変位量は小さいので、上記構成とすることにより、色合成光学装置の変位量を小さくすることができる。
【図面の簡単な説明】
【００１１】
【図１】本発明の一実施形態に係るプロジェクターの概略構成を示す模式図。
【図２】上記実施形態おける光学装置、支持部材及び基体を示す斜視図。
【図３】上記実施形態おける光学装置、支持部材及び基体を示す背面図。
【発明を実施するための形態】
【００１２】
以下、本発明の一実施形態を図面に基づいて説明する。
［プロジェクターの構成］
図１は、本実施形態に係るプロジェクター１の概略構成を示す模式図である。
本実施形態に係るプロジェクター１は、画像情報に応じた画像をスクリーン等の被投射面（図示略）上に投射する。このプロジェクター１は、図１に示すように、外装筐体２と、外装筐体２に収納される光学ユニット３と、を備える。また、図示しないが、プロジェクター１は、電力を供給する電源装置、プロジェクター１を制御する制御装置、及びプロジェクター１を構成する冷却対象を冷却する冷却装置等の各種装置を備えている。
【００１３】
外装筐体２は、金属又は合成樹脂で形成され、外装を構成し、光学ユニット３やプロジェクター１を構成する上記各種装置を収納する。この外装筐体２は、それぞれ鉛直方向に交差する上面部２１及び下面部２２と、正面部２３、背面部２４と、図示しないが右側面部及び左側面部と、を備える。
なお、以下の説明において、光学ユニット３による画像の投射方向をＺ方向とし、Ｚ方向と直交し、互いに直交する方向をＸ方向及びＹ方向とする。また、プロジェクターが水平面上に設置された際に上側を向く方向（下面部２２から上面部２１に向かう方向）をＹ方向とする。また、プロジェクター１をＺ方向に見て左から右に向かう方向（図１中の手前から奥に向かう方向）をＸ方向とする。また、Ｚ方向とは反対方向にプロジェクター１を見た際の手前側を正面、奥側を背面とする。
【００１４】
［光学ユニットの構成］
光学ユニット３は、制御装置による制御の下、画像情報に応じた画像を形成して投射する。この光学ユニット３は、光源装置３１と、照明光学装置３２と、色分離光学装置３３と、投射装置３４と、を有する。これら各装置３１〜３４は、図示しない光学部品用筐体に収容されて、外装筐体２の内部の所定の位置に配置されている。
光源装置３１は、光源ランプ及びリフレクターを有し、光を出射する。
照明光学装置３２は、光源装置３１から出射された光の中心軸（光軸）に対する直交面内の照度を均一化するものであり、２つのレンズアレイ、偏光変換素子及び重畳レンズを有する。
色分離光学装置３３は、入射された光から、Ｒ，Ｇ，Ｂの各色光を分離するものであり、ダイクロイックミラー３３１，３３２及び反射ミラー３３３を有する。
投射装置３４は、色分離光学装置３３で分離されたＲ，Ｇ，Ｂの各色光をそれぞれ変調し、変調した各色光を合成して投射するものである。この投射装置３４は、光学装置４と、投射レンズ５と、投射レンズ５を支持する基体６と、基体６に光学装置４を固定する支持部材７（図２及び図３参照）と、を備える。
【００１５】
［光学装置の構成］
光学装置４は、反射型偏光板としての３つのワイヤーグリッド４１と、３つの反射型光変調装置４２と、３つの偏光板４３と、３つの支持体４４と、支持体４４が固定されるクロスダイクロイックプリズム４５と、を備える。
３つのワイヤーグリッド４１（Ｒ光、Ｇ光及びＢ光用のワイヤーグリッドを、それぞれ４１Ｒ、４１Ｇ、４１Ｂとする）は、格子構造に基づく回折により入射した光を偏光分離する。各ワイヤーグリッド４１は、入射光の光軸に対して略４５°傾斜した状態で配置される。
そして、各ワイヤーグリッド４１は、入射した光のうち、所定の偏光光（第１の直線偏光光）を透過させ、第１の直線偏光光の偏光方向に直交する偏光方向を有する偏光光（第２の直線偏光光）を反射させ、入射した光を偏光分離する。
【００１６】
３つの反射型光変調装置４２（Ｒ光、Ｇ光及びＢ光用の反射型光変調装置を、それぞれ４２Ｒ、４２Ｇ、４２Ｂとする）は、シリコン基板上に液晶が形成された所謂ＬＣＯＳで構成された反射型液晶パネルを備える。各反射型光変調装置４２は、各ワイヤーグリッド４１を透過した光の光軸に対して略直交した状態でそれぞれ配置される。
そして、各反射型光変調装置４２は、上述の制御装置（図示略）からの信号が入力されることで液晶の配向状態が制御され、ワイヤーグリッド４１を透過した偏光光を変調し、ワイヤーグリッド４１に向けて反射させる。反射型光変調装置４２にて変調され、ワイヤーグリッド４１に向けて反射された光は、第２の直線偏光光と同一の偏光方向を有する偏光光のみがワイヤーグリッド４１にて反射されてクロスダイクロイックプリズム４５に向う。
【００１７】
３つの偏光板４３は、各反射型光変調装置４２にて変調されワイヤーグリッド４１にて反射された第２の直線偏光光の偏光方向と略同一の偏光方向を有する偏光光を透過させる。すなわち、ワイヤーグリッド４１及び偏光板４３の双方を用いることで、ワイヤーグリッド４１にて所望の直線偏光光以外の偏光成分が反射された場合であっても、偏光板４３にて上記偏光成分を透過させない構成を採用している。
そして、各偏光板４３は、クロスダイクロイックプリズム４５の各光入射面４５１にそれぞれ対向するように配置される。
【００１８】
３つの支持体４４は、Ｒ，Ｇ，Ｂの色光毎に配設されるワイヤーグリッド４１、反射型光変調装置４２、及び偏光板４３をそれぞれ支持する。この支持体４４は、略直角二等辺三角形状の断面形状を有する三角柱状の中空部材であり、アルミニウムで構成されている。支持体４４の斜面である第１側面４４１には、ワイヤーグリッド４１が固定されている。また、頂角を挟む第２側面４４２及び第３側面４４３のうち、ワイヤーグリッド４１を透過した偏光光が入射する第２側面４４２には、反射型光変調装置４２が固定される。また、第２側面４４２に隣り合う第３側面４４３には、偏光板４３が固定される。
これら支持体４４は、それぞれの第３側面４４３が、クロスダイクロイックプリズム４５の光入射面４５１に対向するように配置されている。
【００１９】
クロスダイクロイックプリズム（以下、プリズムとも称する場合がある）４５は、本発明の色合成光学装置に相当する。このプリズム４５は、４つの直角プリズムを貼り合せた平面視略正方形状をなし、直角プリズム同士を貼り合せた界面に、２つの誘電体多層膜が形成されている。これら誘電体多層膜は、ワイヤーグリッド４１Ｇにて反射されたＧ色光を透過し、各ワイヤーグリッド４１Ｒ，４１Ｂにて反射されたＲ，Ｂ色光をそれぞれ反射させる。このようにして、各色光が合成される。
このようなプリズム４５は、各偏光板４３を透過した各色光がそれぞれ入射される３つの光入射面４５１と、入射した各色光の合成光を出射する光出射面４５２と、各光入射面４５１に交差する一対の交差面４５３とを有する。これらのうち、光出射面４５２は、投射レンズ５と対向し、各交差面４５３には、対応する支持部材７が接続される。
【００２０】
［投射レンズ及び基体の構成］
図２は、プリズム４５が支持部材７によって基体６に固定されている状態を示す斜視図である。また、図３は、図２と同様の状態を示す背面図である。
投射レンズ５は、本発明の投射光学装置に相当する。この投射レンズ５は、プリズム４５によって合成された光（画像）を、スクリーンに向けて投射する。この投射レンズ５は、複数のレンズ（図示略）と、当該複数のレンズを収容する円筒状の鏡筒５１と、を備える。この鏡筒５１は、図示を省略するが、外側に突出して基体６に固定されるフランジ部を有する。
【００２１】
基体６は、外装筐体２に固定され、投射レンズ５及び支持部材７を支持する。
基体６は、投射レンズ５の一部が挿通される貫通孔６１と、貫通孔６１に配置された投射レンズ５のフランジ部を固定する図示しない固定部を有する。また、基体６は、支持部材７をねじ固定するためのねじ穴６２を有する。更に、基体６におけるプリズム側の面（すなわち、Ｚ方向とは反対側の面）６Ａは、平坦面であり、当該面６Ａ（以下、平坦面６Ａとも称する）において貫通孔６１のＸ方向両側のそれぞれには、図３に示すように、３つのねじ穴６２が設けられている。
【００２２】
［支持部材の構成〕
支持部材７は、図２及び図３に示すように、一対設けられ、クロスダイクロイックプリズム４５における上記一対の交差面４５３にそれぞれ接続され、光学装置４を基体６に対して固定する。この支持部材７は、接続部７１、アーム部７２及び固定部７３を備える。支持部材７はアルミニウムにより構成され、接続部７１、アーム部７２及び固定部７３が一体形成されている。
なお、一対の支持部材７（第１支持部材及び第２支持部材）は、基本的に同様の構成を有する。これら一対の支持部材７をそれぞれ区別する場合は、Ｘ方向の先端側に位置する支持部材を７Ａとし、Ｘ方向の基端側に位置する支持部材を７Ｂとする。これら一対の支持部材７のうち、支持部材７Ａが本発明の第１支持部材に相当し、支持部材７Ｂが本発明の第２支持部材に相当する。以下では、一対の支持部材７Ａ，７Ｂのうちの支持部材７Ａについて主に説明する。
【００２３】
接続部７１は、交差面４５３の平面形状と略同一の平面形状を有する矩形状の板体で構成されている。この接続部７１は、段部７１１と、突出部７１２と、接合面７１３とを有する。
段部７１１は、矩形状の接続部７１の４つの角部に設けられている。この段部７１１は、接続部７１のＸ方向側の端面に対して、Ｘ方向の段差を形成する。
突出部７１２は、接続部７１において、段部７１１が設けられた位置以外の中央部分において、Ｘ方向とは反対方向（すなわち、プリズム４５に向かう方向）に突出している。
接合面７１３は、突出部７１２をＸ方向に向かって見た際の端面であり、接着剤によって交差面４５３に接合される。この接合面７１３は、中央部に向かうにつれてＸ方向とは反対方向に膨出している。なお、本実施形態では、接着剤としてＵＶ硬化樹脂を用いている。
【００２４】
アーム部７２は、接続部７１における接合面７１３とは反対側の面からＸ方向に延出し、接続部７１と固定部７３とを接続している。
固定部７３は、略板状に構成され、アーム部７２の接続部７１が接続されたアーム部７２の一端とは反対側の他端に設けられている。Ｚ方向と反対方向側の面（すなわち、固定部７３の正面）である端面７３Ａは、平坦面である。この固定部７３は、基体６の平坦面６Ａに、端面７３Ａが密着された状態で、基体６に対してねじ固定される。この固定部７３は、基体６に対してねじ止め可能なように、基体６に設けられたねじ穴６２に対応する位置に、図示しないねじを挿入するための挿入孔７３１が設けられている。固定部７３は、図２及び図３に示す例では、基体６に設けられた３つのねじ穴６２のそれぞれに対応する位置に、３つの挿入孔７３１が設けられている。この挿入孔７３１は、固定部７３をＺ方向に貫通し、Ｘ方向を長径方向とする長孔である。
なお、支持部材７Ｂは、プリズム４５の中央をＺ方向に通る軸に対して、支持部材７Ａと略回転対称の関係であり、支持部材７Ａと略同様の形状を有する。
【００２５】
このように構成された一対の支持部材７と、プリズム４５の交差面４５３とを接合し、一対の支持部材７をＸ方向の両側からプリズム４５を挟むように配置する。このような状態で、一対の支持部材７のそれぞれを、接続部７１にて基体６の面６Ａに対して、Ｚ方向においてプリズム４５側から投射レンズ５側へねじを挿入してねじ固定する。具体的には、支持部材７Ｂを２カ所でねじ止めする。詳述すると、図３に示すように、Ｙ方向に併設された３つの固定位置８Ａ，８Ｂ，８Ｃのうち、Ｙ方向の両側に位置する２つの固定位置８Ａ，８Ｂでねじ固定する。また、支持部材７Ａを１カ所でねじ止めする。詳述すると、３つの固定位置８Ａ，８Ｂ，８Ｃのうち、中央に位置する固定位置８Ｂでねじ固定する。これにより、光学装置４が基体６に対して固定され、外装筐体２に対して固定される。
【００２６】
以上説明した本実施形態に係るプロジェクター１によれば、以下の効果がある。
一対の支持部材７と、プリズム４５の一対の交差面４５３とが、それぞれ接合される。これによれば、これら各交差面４５３は、水平方向と交差する面であるので、各支持部材７により、プリズム４５を水平方向の両側から挟持して支持できるので、支持部材７が熱膨張により変形する場合でも、これら支持部材７の変形を相殺できる。従って、プリズム４５の変位を抑制でき、当該プリズム４５が変位する場合であっても、変位量を小さくすることができる。
【００２７】
プリズム４５に接合される支持部材７の接合面７１３は、中央部で膨出した形状を有するので、プリズム４５の交差面４５３と接合面７１３とを接合する際に、接合面７１３に対するプリズム４５の角度を調整できる。従って、支持部材７に対するプリズム４５の位置を容易に調整でき、部品ばらつきが生じた場合でも、プリズム４５を適切な位置に配置しやすくすることができる。
【００２８】
ここで、基体６に対して各支持部材７がそれぞれ１ヶ所で固定されていると、各支持部材７が変形する際に、各交差面４５３に交差する水平方向に沿う回動軸を中心として各支持部材７が回動しやすくなり、プリズム４５の位置が変化しやすくなる。
一方、基体６に対して各支持部材７がそれぞれ２ヶ所で固定されていると、各支持部材７が変形する際に、当該各支持部材７においてプリズム４５との接続部位の変位量が大きくなってしまい、ひいては、当該プリズム４５の変位量が大きくなる。
これに対し、本実施形態によれば、支持部材７Ａが１ヶ所で基体６に固定され、支持部材７Ｂが２ヶ所で基体６に固定される。これによれば、上記回動軸を中心とする各支持部材７の回動を抑制でき、プリズム４５の変位を抑制できる。この他、２ヶ所で固定される支持部材７Ｂの上記接続部位に比べ、１ヶ所で固定される支持部材７Ａの上記接続部位の変位量は小さいので、上記構成とすることにより、プリズム４５の変位量を小さくすることができる。
【００２９】
固定部７３には、ねじを挿入するための挿入孔７３１が設けられている。この挿入孔７３１は、Ｘ方向が長径方向となるように設けられている。これにより、各支持部材７の固定位置をＸ方向に沿って移動させることができる。従って、プリズム４５に部品ばらつきが生じたり、設計変更によって寸法が異なるプリズム４５が採用されたりする場合でも、各支持部材７をＸ方向に沿って移動させて、プリズム４５を所定の位置に配置できる。
【００３０】
［変形例］
本発明は上記実施形態に限定されるものではなく、本発明の目的を達成できる範囲での変形、改良等は本発明に含まれるものである。
上記実施形態では、ＵＶ硬化樹脂を接着剤として用いて、支持部材７と、プリズム４５とを接合する構成としたが、これに限らず、ＵＶ硬化樹脂以外の各種の接着剤を用いてもよい。また、接着剤を用いて支持部材７とプリズム４５とを接合せずに、一対の支持部材７をプリズム４５の一対の交差面４５３にそれぞれ当接させて、一対の支持部材７によってプリズム４５を挟持する構成としてもよい。
【００３１】
上記実施形態では、一対の支持部材７の両方の接合面７１３が、中央部で膨出する形状を有するとしたが、これに限らず、一方の支持部材７の接合面７１３が膨出する形状を有し、他方の支持部材７の接合面７１３は、平面形状を有する構成としてもよい。このような場合でも、接合面７１３の中央部が膨出する支持部材７に対してプリズム４５を固定する際にプリズム４５の位置を調整することにより、一対の支持部材７に対するプリズム４５の位置を容易に調整できる。
また、両方の支持部材７の接合面７１３が平面形状を有する構成としてもよい。
【００３２】
上記実施形態では、支持部材７が基体６に対して固定されている際に、Ｘ方向の先端側に配置された支持部材７Ａが１カ所で、Ｘ方向の基端側に配置された支持部材７Ｂが２カ所でねじ固定される構成としたが、これに限らない。例えば、Ｘ方向の基端側において支持部材７Ａが１カ所で、Ｘ方向の先端側において支持部材７Ｂが２カ所でねじ固定される構成としてもよい。また、一方の支持部材７が１カ所で、他方の支持部材７が３カ所以上でねじ固定される構成としてもよい。また、両方の支持部材７が複数個所でねじ固定される構成としてもよいし、１カ所でねじ固定される構成としてもよい。
上記実施形態では、支持体４４及び支持部材７は、アルミニウムで構成されていたが、これに限らず、その他の材料で構成しても構わない。また、支持体４４及び支持部材７を同一材料で構成する他、異なる材料で構成しても構わない。
【００３３】
上記実施形態では、支持部材７を基体６に固定する構成としたが、これに限らず、外装筐体２の内部に固定する構成としてもよい。
上記実施形態では、反射型光変調装置４２を３つ備える構成としたが、これに限らず、反射型光変調装置４２を２つ備える構成としてもよく、４つ以上備える構成としてもよい。
【００３４】
上記実施形態では、光源装置３１は、光源ランプを有する構成としたが、これに限らず、ＬＤ（Laser Diode）やＬＥＤ（Light Emitting Diode）等の固体光源を有する構成としてもよい。例えば、光源装置３１は、所定波長の光を出射する固体光源と、固体光源から入射される光の波長を変換する波長変換装置と、を備え、複数の色光を出射する構成としてもよい。また、光源装置３１は、複数の固体光源を備える構成としてもよい。
【符号の説明】
【００３５】
１…プロジェクター、２…外装筐体、６…基体、７…支持部材、３１…光源装置、４２…反射型光変調装置、４５…クロスダイクロイックプリズム、４５１…光入射面、４５２…光出射面、４５３…交差面、７１３…接合面。
【図１】
2015011091.tif 000003
【図２】
2015011091.tif 000004
【図３】
2015011091.tif 000005